(57)【要約】【課題】ＩＣタグやセンサなどを含む機能部品を杭に容易に増設して、既存の杭にさらなる機能を追加する増設部材を提供する。【解決手段】杭８０に装着されて、杭８０にさらなる機能を追加する増設部材１であって、３つ以上の側壁を有する筒状の弾性体から形成された本体１０であって、３つの側壁のうちの２つの側壁にそれぞれ含まれる第１の平板部１２ａおよび第２の平板部１２ｂを有する本体１０を備え、第１の平板部１２ａには、杭８０に装着される被装着部１２ａｂが構成され、第２の平板部１２ｂには、杭８０にさらなる機能を追加する第１の機能部品３０が取り付けられる第１の機能部品取付部１２ｂｂが構成される。【選択図】図１
2014059263.tif 000002
【特許請求の範囲】
【請求項１】
杭に装着されて、前記杭にさらなる機能を追加する増設部材であって、
３つ以上の側壁を有する筒状の弾性体から形成された本体であって、前記３つの側壁のうちの２つの側壁にそれぞれ含まれる第１の平板部および第２の平板部を有する本体を備え、
前記第１の平板部には、前記杭に装着される被装着部が構成され、
前記第２の平板部には、前記杭にさらなる機能を追加する第１の機能部品が取り付けられる第１の機能部品取付部が構成された、増設部材。
【請求項２】
請求項１に記載の増設部材において、
前記本体が、３つの側壁を有する三角筒状からなる、増設部材。
【請求項３】
請求項１または２に記載の増設部材において、
前記弾性体は、合成ゴムまたは天然ゴムからなるゴム体である、増設部材。
【請求項４】
請求項１から３のいずれか一項に記載の増設部材において、さらに、
前記被装着部に設けられる固定具であって、当該増設部材を前記杭に固定して装着する固定具を備えた、増設部材。
【請求項５】
請求項４に記載の増設部材において、
前記固定具が釘、鋲またはねじである、増設部材。
【請求項６】
請求項４に記載の増設部材において、
前記固定具が磁石である、増設部材。
【請求項７】
請求項１から３のいずれか一項に記載の増設部材において、
前記被装着部には前記杭の頭部断面寸法よりも僅かに小さい開口が設けられ、当該増設部材は、前記開口に前記杭の頭部が嵌入されて前記杭に装着される、増設部材。
【請求項８】
請求項１から７のいずれか一項に記載の増設部材において、
前記第１の機能部品が、ＩＣタグまたはセンサである、増設部材。
【請求項９】
請求項１から７のいずれか一項に記載の増設部材において、
前記第１の機能部品が反射シートであり、前記第１の機能部品取付部は前記第２の平板部の外面に構成される、増設部材。
【請求項１０】
請求項１から９のいずれか一項に記載の増設部材において、
前記本体は、さらに第３の平板部を有し、
この第３の平板部には、前記杭にさらなる機能を追加する第２の機能部品が取り付けられる第２の機能部品取付部が構成された、増設部材。
【請求項１１】
請求項１０に記載の増設部材において、
前記第２の機能部品が、ＩＣタグまたはセンサである、増設部材。
【発明の詳細な説明】
【技術分野】
【０００１】
本発明は、杭に装着されて、既存の杭にさらなる機能を追加する増設部材に関する。
【背景技術】
【０００２】
杭は、測量点や境界などの表示に用いられるが、それだけでなく、簡易に設置される利点を活用して様々な用途に適用される。最近では、ＩＣタグが杭に収納されて、杭やその周辺情報がＩＣタグで管理されるだけでなく、センサが収納されて情報発信杭として機能するものもある（特許文献１）。
【先行技術文献】
【特許文献】
【０００３】
【特許文献１】特許第４２９９３５５号
【発明の概要】
【発明が解決しようとする課題】
【０００４】
しかし、上記特許文献１に記載された杭では、ＩＣタグやセンサは杭の内部に収納される。そのため、これらＩＣタグやセンサを交換したり追加したりする際には、杭の頭部に被せられたキャップを外して作業する必要がある。したがって、作業対象の杭が多数存在するような場合には、作業に多大な時間を要する。
【０００５】
そこで、ＩＣタグやセンサなどを含む機能部品を杭に容易に増設して、既存の杭にさらなる機能を追加する増設部材を提供することを目的とする。
【課題を解決するための手段】
【０００６】
上記目的を達成するために、本発明の一構成にかかる増設部材は、杭に装着されて、前記杭にさらなる機能を追加する増設部材であって、３つ以上の側壁を有する筒状の弾性体から形成された本体であって、前記３つの側壁のうちの２つの側壁にそれぞれ含まれる第１の平板部および第２の平板部を有する本体を備え、前記第１の平板部には、前記杭に装着される被装着部が構成され、前記第２の平板部には、前記杭にさらなる機能を追加する第１の機能部品が取り付けられる第１の機能部品取付部が構成される。
【０００７】
本構成によれば、増設部材の本体には、第１の機能部品が取り付けられることができるため、第１の機能部品によって、任意の機能を既存の杭に追加することができる。また、増設部材の本体が弾性体から形成されているため、衝撃を吸収することができる。特に、３つ以上の側壁によってその内部に空間が構成されるため、筒状の本体の軸方向に垂直な方向から外力を受けた場合に、側壁は撓みやすく、衝撃を効果的に吸収することができる。さらに、増設部材の本体が筒状であるため、筒状の本体の軸方向からの外力を受ける面積が、本体が中実体からなる場合に比べて小さい。例えば、筒状の本体の軸方向から水流や風などを受けた場合に、側壁の内部の空間を水や風が通過するため、水圧や風圧の影響を受けにくい。
【０００８】
好ましくは、前記本体が、３つの側壁を有する三角筒状からなる。
好ましくは、前記弾性体は、合成ゴムまたは天然ゴムからなるゴム体である。
【０００９】
本発明の好ましい実施形態では、前記被装着部に設けられる固定具であって、当該増設部材を前記杭に固定して装着する固定具を備える。この実施形態によれば、当該増設部材を杭に固定して装着する固定具が被装着部に設けられるため、この固定具によって当該増設部材を既存の杭に容易に装着することができる。
【００１０】
好ましくは、前記固定具が釘、鋲またはねじである。固定具が釘、鋲またはねじであるため、当該増設部材は簡易な構成でありながら、当該増設部材を既存の杭に容易に装着することができる。
【００１１】
好ましくは、前記固定具が磁石である。固定具が磁石であるため、磁石が吸着される金属を杭が含んでさえいれば、当該増設部材を既存の杭に対して極めて容易に装着したり取り外したりできる。
【００１２】
本発明の別の好ましい実施形態では、前記被装着部には前記杭の頭部断面寸法よりも僅かに小さい開口が設けられ、当該増設部材は、前記開口に前記杭の頭部が嵌入されて前記杭に装着される。この実施形態によれば、杭の頭部が嵌入される開口であって、当該増設部材を杭に固定して装着するための開口が被装着部に設けられるため、増設部材は簡易な構成でありながら、当該増設部材を既存の杭に容易に装着することができる。
【００１３】
本発明のさらに好ましい実施形態では、前記第１の機能部品が、ＩＣタグまたはセンサである。この実施形態によれば、ＩＣタグまたはセンサが増設部材に設けられているため、この増設部材を既存の杭に装着することで、既存の杭のＩＣタグまたはセンサが故障した場合に、その代わりとして用いることができる。したがって、杭の内部に収納されるＩＣタグまたはセンサを交換する際における、杭の頭部のキャップを外して行う交換作業に比べて、増設部材を装着するだけの簡易な作業で済む。また、既存の杭で稼働しているＩＣタグやセンサに、さらに別のＩＣタグやセンサを追加させる場合でも、杭の頭部のキャップを外して追加のＩＣタグやセンサを杭に収納させる必要はなく、増設部材を装着するだけの作業で済む。さらに、ＩＣタグやセンサを収納する空間が存在しない杭であっても、この増設部材を杭に装着することで杭にＩＣタグやセンサを設けることができるため、特に有効である。
【００１４】
ここで、「ＩＣタグ」とは、非接触型ＩＣタグ（ＲＦＩＤタグ）のことであり、通信用アンテナを介してＲＦＩＤ技術を利用した無線通信を行うものである。そして、「アクティブ型ＩＣタグ」は、能動型、すなわち電池を備えることでＩＣタグ自体が電波を発信するものを意味するのに対して、「パッシブ型ＩＣタグ」は、受動型、すなわち例えばリーダなどから電波を受信して、このように供給された電力を用いて動作するものを意味する。
「センサ」は、加速度センサ、温度センサ、衝撃センサおよびガスセンサなどを含み、増設部材に設けられることができるものであれば、いかなるセンサであってもよい。
【００１５】
本発明のさらに好ましい実施形態では、前記第１の機能部品が反射シートであり、前記第１の機能部品取付部は前記第２の平板部の外面に構成される。この実施形態によれば、反射シートが増設部材に設けられるため、この増設部材を既存の杭に装着することで、光を照射した場合の視認性を高めることができる。好ましくは、反射シートが設けられる外面を有する第２の平板部は、杭に装着された状態では傾斜している。これにより、例えばこの外面に向けて水平方向前方から光を照射すると、この光がその外面で反射されるため、前方から杭を視認しやすくなる。
【００１６】
本発明のさらに好ましい実施形態では、前記本体は、さらに第３の平板部を有し、この第３の平板部には、前記杭にさらなる機能を追加する第２の機能部品が取り付けられる第２の機能部品取付部が構成される。この実施形態によれば、この本体の第３の平板部に、第２の機能部品が取り付けられる第２の機能部品取付部が構成されるため、この取付部に取り付けられることができる第２の機能部品によって、第１の機能部品による機能に加えて、さらに任意の機能を既存の杭に追加することができる。なお、第２の機能部品は第１の機能部品と同一種類でも異なる種類であってもよい。
【００１７】
本発明のさらに好ましい実施形態では、前記第２の機能部品が、ＩＣタグまたはセンサである。
【発明の効果】
【００１８】
本発明の増設部材によれば、筒状の本体の軸方向に垂直な方向から外力を受けた場合に、側壁が空間内に撓むことで衝撃を効果的に吸収することができる一方、筒状の本体の軸方向からの外力を受ける面積が、本体が中実体からなる場合に比べて小さいため、過酷な環境に設置された杭に装着されて用いられることができる。すなわち、例えば、人間や自動車などで踏まれる可能性の高い場所、または、速度の大きい水流や風などを受ける場所に杭が設置されていても、杭の頭部に装着されて地上に位置する増設部材がこれらの影響を受けて破損されるような可能性は極めて低い。
【図面の簡単な説明】
【００１９】
【図１】（ａ）は本発明の第１実施形態にかかる増設部材が杭に装着される前の状態を示す斜視図、（ｂ）は同増設部材が杭に装着された状態を示す斜視図である。
【図２】（ａ）は図１の増設部材の斜視図、（ｂ）は同増設部材の底面図、（ｃ）は同増設部材を第２の平板部の正面から見た図、および（ｄ）は同増設部材の（ａ）におけるIIＤ−IIＤ線に沿った側断面図である。
【図３】図２（ａ）の増設部材のIIＤ−IIＤ線に沿った側断面図であって、固定具の変形例を示す図である。
【図４】（ａ）は図１の増設部材に取り付けられる追加ＩＣタグ体の上面図、（ｂ）は同追加ＩＣタグ体のIIIＢ−IIIＢ線に沿った断面図である。
【図５】（ａ）は本発明の第２実施形態にかかる増設部材の斜視図、（ｂ）は同増設部材の底面図、（ｃ）は同増設部材の（ａ）におけるIVＣ−IVＣ線に沿った側断面図である。
【図６】（ａ）本発明の第３実施形態にかかる増設部材の底面図、（ｂ）は同増設部材が杭に装着される前の状態を示す斜視図、（ｃ）は同増設部材が杭に装着された状態を示す斜視図である。
【図７】（ａ）は本発明の第４実施形態にかかる増設部材を第３の平板部の正面から見た図（同増設部材の後面図）、（ｂ）は同増設部材の側断面図である。
【図８】（ａ）は本発明の第５実施形態にかかる増設部材が杭に装着される前の状態を示す斜視図、（ｂ）は同増設部材が杭に装着された状態を示す斜視図である。
【図９】図８の増設部材の上面図である。
【図１０】（ａ）は本発明の第６実施形態にかかる増設部材の斜視図、（ｂ）は同増設部材の上面図である。
【発明を実施するための形態】
【００２０】
以下、本発明の第１実施形態にかかる増設部材を図面に従って説明する。
図１（ａ）および（ｂ）に、増設部材１および杭８０を示し、図１（ａ）は、杭８０に増設部材１が装着される前の状態、図１（ｂ）は、杭８０に増設部材１が装着された後の状態を示す。
【００２１】
杭８０は、設置位置に関する情報である設置位置情報（例えば土地や道路などの位置（経度、緯度および標高による位置）、または敷地についての各種情報など）を表示する設置位置情報標示器である。
【００２２】
杭８０は、地盤にほぼ垂直に打ち込まれる杭であって、杭本体８２を有し、その頭部８４は防護用キャップ８６で覆われている。杭本体８２およびキャップ８６は、例えばプラスティック製であるが、コンクリート製であってもよく、また、通信機能に支障がなければ金属製であってもよい。杭１は、収納空間８８を内部に有し、その上方は開口し、キャップ８６によって覆われる。
【００２３】
杭８０の収納空間８８には、杭に収納されたＩＣタグ（杭収納ＩＣタグ）９２、杭に収納されたセンサ（杭収納センサ）９４、杭に収納された通信用アンテナ（杭収納通信用アンテナ）９６、電源９８などが収納される。なお、杭収納ＩＣタグ９２は、非接触型ＩＣタグ（ＲＦＩＤタグ）であり、通信用アンテナ９６を介してＲＦＩＤ技術を利用した無線通信を行う。杭収納ＩＣタグ９２は、アクティブ型であってもパッシブ型であってもよく、好ましくはアクティブ型である。杭収納ＩＣタグ９２がアクティブ型の場合、電源９８は、杭収納センサ９４の動作のためだけでなく、杭収納ＩＣタグ９２の動作のためにも用いられる。
【００２４】
杭収納センサ９４は、例えば加速度センサであり、杭８０が衝撃を受けたことを検知する。杭収納センサ９４は、この他にも、温度センサ、振動センサおよびガスセンサなどであってもよい。また、杭収納センサ９４は１つに限られず、複数設けられてもよく、複数種類のセンサを設ければ、複数の対象を検知することができる。
【００２５】
杭収納センサ９４によって検知された情報は、杭収納ＩＣタグ９２の記憶領域（図示せず）に記憶され、杭収納通信用アンテナ９６を介して送信される。このように送信された検知情報は、管理サーバ（図示せず）で管理され、杭８０の設置場所付近における変化（例えば、振動が発生したことのような異常発生）を検出するために利用される。
【００２６】
なお、杭８０の４つの側面には太陽光パネル（図示せず）が取り付けられてもよい。この太陽光パネルと蓄電池（図示せず）によって、電源９８を補助することができる。また、電源９８を設けずに、太陽光パネルによる発電のみで必要な電力を生成するようにしてもよい。
【００２７】
図２（ａ）〜（ｄ）を参照して、第１実施形態にかかる増設部材について詳述する。本増設部材１は、本体１０を備える。本体１０は三角筒状の弾性体からなり、３つの平板部１２（第１の平板部１２ａ、第２の平板部１２ｂ、および第３の平板部１２ｃ）が側壁を構成する。３つの平板部１２は、一体に形成されたものでも、別体からなり接着などによって結合されたものであってもよい。このように本体１０は三角筒状であるため、３つの平板部１２によって包囲された空間Ｓが形成される。本体１０は空間Ｓが形成された中空状であるため、衝撃吸収性に優れ、破壊されにくい。また、中実状である場合に比べて本体１０は軽量である。さらに、本体１０は筒状であるため、両端の開口に作業者が手を入れて持ち運びなどがしやすい。
【００２８】
本体１０は弾性体から形成される。本実施形態では、弾性体はゴム体である。ゴムとしては、天然ゴムや、エチレンプロピレンゴム（ＥＰＤＭ）、クロロプレンゴム（ＣＲ）、ブタジエンゴム（ＢＲ）、シリコーンゴム（Ｓｉ）、ニトリルゴム（ＮＢＲ，ＮＢＲ+ＰＶＣ（ポリ塩化ビニル（ＰＶＣ）ブレンド））などの合成ゴムが挙げられる。合成ゴムは、用途に応じて選択される。例えば、屋外での使用には、エチレンプロピレンゴム、クロロプレンゴム、およびシリコーンゴムなどの耐候性を有するものが適する。また、耐油性が必要とされる場合には、クロロプレンゴム、ニトリルゴムが適する。本体１０のゴム硬度の望ましい範囲は環境条件に依存する。
【００２９】
本体１０のゴム体は、好ましくは、ゴム層の間に糸や布などからなる繊維補強層（図示せず）が介在されてもよい。これにより、支持体１０の剛性が向上して破壊されにくくなる。また、たとえ破壊されたとしても、繊維補強層で亀裂が停止するため、亀裂が大きくなるのが防止される。なお、このような繊維補強層は、増設部材１を使用する環境条件に応じて採用される。
【００３０】
３つの平板部１２のうち、第１の平板部１２ａの外面１２ａａには、杭８０（図１（ａ））に装着される被装着部１２ａｂが構成される。すなわち、図１（ａ）に示すように、第１の平板部１２ａの外面１２ａａが、杭８０のキャップ８６の上面に当接される部分である。この第１実施形態にかかる増設部材１では、図２（ｄ）に示す被装着部１２ａｂには釘からなる固定具２０が設けられる。釘２０は、第１の平板部１２ａの中心部付近に設けられた孔１２ａｃを貫通して第１の平板部１２ａの外面１２ａａから突出するものでも、第１の平板部１２ａの外面１２ａａに接着されたものであってもよい。釘２０が杭８０（図１（ａ））のキャップ８６（図１（ａ））に打ち込まれることで、増設部材１は杭８０に装着される。固定具として、釘２０の代わりにねじ（図示せず）が用いられてもよい。
【００３１】
さらに、図３に示すように、固定具として金属鋲２０が用いられてもよい。
【００３２】
第１の平板部１２ａに対して、第２の平板部１２ｂは鋭角で交差し、第３の平板部１２ｃはほぼ直角で交差し、第２の平板部１２ｂと第３の平板部１２ｃは鋭角で交差する。このため、支持体１０の三角筒形状は、ほぼ直角三角形の筒形状である。筒形状の周方向において、第１の平板部１２ａの長さＬ１は、好ましくは、第３の平板部１２ｃの長さＬ３の０．５〜１．７倍である。また、筒形状である支持体１０の軸方向の長さＬＬは、第１の平板部１２ａの長さＬ１よりも短く、好ましくは、第１の平板部１２ａの長さＬ１の０．５〜０．８倍である。
【００３３】
３つの平板部１２のうち、第２の平板部１２ｂは、杭８０（図１（ａ））にさらなる機能を追加する第１の機能部品（ここでは、追加ＩＣタグ体３０とする）が取り付けられる部分である。第２の平板部１２ｂは外面１２ｂａを有し、この外面１２ｂａに追加ＩＣタグ体３０を取り付けるための第１の機能部品取付部１２ｂｂが構成されている。追加ＩＣタグ体３０は平板状であり、好ましくは円板状である。追加ＩＣタグ体３０の中心部には貫通孔３２が形成されている。一方、第２の平板部１２ｂにも貫通孔１２ｂｃが形成されている。追加ＩＣタグ体３０の増設部材１への固定は、まず、追加ＩＣタグ体３０の貫通孔３２が第２の平板部１２ｂの貫通孔１２ｂｃと合致するように位置決めされ、これら貫通孔３２，１２ｂｃにねじ４２が挿入されて、第２の平板部１２ｂの内面１２ｂｄ側に位置するナット４４にねじ４２が螺合することで行われる。
【００３４】
追加ＩＣタグ体３０が取り付けられる第１の機能部品取付部１２ｂｂと釘２０との間には空間Ｓが形成されるため、追加ＩＣタグ体３０と釘２０との間に、ある程度の距離が確保される。そのため、釘２０が金属からなる場合であっても、追加ＩＣタグ体３０のＩＣタグとリーダ・ライタとの間で交信される電波に釘２０が悪影響を与える可能性を抑制できる。
【００３５】
次に、第１の機能部品取付部１２ｂｂに取り付けられる追加ＩＣタグ体３０について、図４（ａ）および（ｂ）を参照して説明する。追加ＩＣタグ体３０は、ＩＣチップ３３およびコイルからなる追加アンテナ３４で構成される追加ＩＣタグ３６と、この追加ＩＣタグ３６を内部に収納する筐体３８とを備える。
【００３６】
追加ＩＣタグ３６は、前述のとおり非接触型であるため追加アンテナ３４を有し、ＲＦＩＤ技術を利用した無線通信を行う。好ましくは、追加ＩＣタグ３６はパッシブ型である。この追加ＩＣタグ３６には、リーダ・ライタ（図示せず）によってタグ情報が読み書きされる。リーダ・ライタの形態の一例とし、スマートフォン（多機能携帯電話）に搭載されたものがある。
【００３７】
筐体３８は、円板状であり、基部４２およびカバー４４を有する。基部４２は、周縁部４２ａと中心部４２ｂの間に、環状の凹部４２ｃを有する。この凹部４２ｃに、追加ＩＣタグ３６のＩＣチップ３３および追加アンテナ３４が配置され、追加アンテナ３４は、凹部４２ｃの環形状に沿って、中心部４２ｂの周りを巻回している。円板状のカバー４４は、基部４２の周縁部４２ａと中心部４２ｂによって支持されて、凹部４２ｃによって構成される空間４６を覆う。
【００３８】
筐体３８の基部４２およびカバー４４の各中心には、それぞれ、孔４８および４９が形成される。これら孔４８，４９によって上述した貫通孔３２（図２（ｄ））が構成され、本体１（図２（ｄ））への取り付けのねじ止めに利用される。
【００３９】
筐体３８の基部４２およびカバー４４はプラスティックからなり、好ましくはシロキサン共重合ポリカーボネートからなる。このシロキサン共重合ポリカーボネートは、ポリジメチルシロキサン（ＰＤＭＳ）をポリカーボネート（ＰＣ）の分子鎖に化学結合により共重合した構造を有する。このように、追加ＩＣタグ体３０の外装はシロキサン共重合ポリカーボネートから構成されるため、耐熱性、耐候性、耐アルカリ性、耐酸性、耐衝撃性、耐寒性および難燃性に優れる。特に、ポリカーボネートに比べて、耐候性、耐衝撃性、および耐寒性が優れたシロキサン共重合ポリカーボネートが、この追加ＩＣタグ体３０の外装に用いられる。
【００４０】
筐体３８がシロキサン共重合ポリカーボネートからなる場合、ポリカーボネートと同様の透明性を確保できるので、基部４２とカバー４４の一方または両方を透明または半透明にして外部から視認できるようにしてもよい。シロキサン共重合ポリカーボネートからなる筐体３８は、また、ポリカーボネートからなるものに比べて弾性を有するため、基部４２と、基部４２に接着などによって被せられるカバー４４との間に隙間ができるのを防止でき、空間４６は密封性に優れる。
【００４１】
筐体３８のカバー４４の外面４４ａには、デザインを施したり、反射シートを貼り付けたりしてもよい。
【００４２】
図２（ａ）〜（ｄ）に示した増設部材１の本体１０がゴム体から形成されるため、追加ＩＣタグ体３０の追加ＩＣタグ３６（図４（ｂ））とリーダ・ライタとの間で交信される電波に、本体１０自体が遮蔽や反射などの障害を与えることはない。また、ゴムの剛性は温度依存性が小さいため、樹脂のように一定温度を超えると形状変形を起こすようなことはない。さらに、ゴムは樹脂に比べて復元性に優れているため、ゴム体から形成された本体１０は、踏みつけられたりしても元の形状に復元する。そして、本体１０の内部に空間Ｓが構成されているため、本体１０の軸方向Ｘに垂直な方向Ｒから増設部材１が外力を受ける（例えば、第２の平板部１２ｂが外側から押圧される）と、ゴム体の第２の平板部１２ｂおよび第３の平板部１２ｃは大きく撓んでから元の形状に復元する。したがって、衝撃を効果的に吸収することができる。その上、ゴムは樹脂に比べて耐屈曲性に優れているため、ゴム体から形成された本体１０は、繰り返し変形されたとしても、亀裂が生じにくい。
【００４３】
本実施形態では、追加ＩＣタグ体３０は本体１０の第２の平板部１２ｂの外面１２ｂａに取り付けられるものとしたが、追加ＩＣタグ体３０は第２の平板部１２ｂの内面１２ｂｄに取り付けられてもよい。この構成では、本体１０が踏みつけられたとしても、追加ＩＣタグ体３０が直接踏まれるのを防止できる。また、この場合、第２の平板部１２ｂの外面１２ｂａには熱反射塗料を施してもよい。これにより、内面１２ｂｄに設けられた追加ＩＣタグ体３０の温度上昇が防止される。
【００４４】
なお、第２の平板部の外面１２ｂａと内面１２ｂｄの両方に、追加ＩＣタグ体３０のような第１の機能部品をそれぞれ設けてもよい。この場合、２つの第１の機能部品は同一種類であっても異なる種類であってもよい。
【００４５】
次に、この第１実施形態にかかる増設部材の適用について説明する。
図１（ａ）に戻って、杭８０は、一部が地盤に埋め込まれて稼動しているものとする。本実施形態のように杭収納センサ９４を備えた杭の「稼動」とは杭８０が設置位置情報を標示するものとして機能しているだけでなく、杭収納センサ９４が対象（加速度センサであれば、対象は加速度）を検知して記憶し、その検知情報が管理されていること、例えば、杭収納通信用アンテナ９６を介してその検知情報を送信し、管理サーバ（図示せず）などで管理されていることを指す。このように稼動している杭８０に、増設部材１が装着される。
【００４６】
増設部材１が杭８０に装着されると、追加ＩＣタグ体３０が取り付けられる第２の平板部１２ｂは、杭１が埋め込まれた路面に対して傾斜面を構成する。このため、追加ＩＣタグ体３０は斜面に設けられ、水平面に設けられた場合に比べて視認性が高くなる。また、追加ＩＣタグ体３０が斜面に設けられると、水平面や垂直面に設けられた場合に比べてスマートフォンのようなリーダ・ライタをかざしやすい。さらに、本実施形態では、増設部材１の水平方向断面の寸法は杭８０の水平方向断面の寸法よりも大きいため、第２の平板部１２ｂの斜面の寸法も杭８０に対して大きい。これより、追加ＩＣタグ体３０の視認性はさらに高くなるとともに、リーダ・ライタをさらにかざしやすくなる。
【００４７】
このように装着された増設部材１の追加ＩＣタグ体３０によって、杭収納ＩＣタグ９２が記憶する情報に加えて、さらなる管理情報を記憶させることができる。例えば、杭収納ＩＣタグ９２を、杭収納センサ９４の検知情報を記憶して送信するためのものとして用いるのに対して、追加ＩＣタグ体３０を、杭８０の別の管理（例えば、杭８０の周辺の地下埋設物の管理）のために用いることができる。
【００４８】
代替形態として、杭収納ＩＣタグ９２が故障した際に、増設部材１を杭８０に装着して故障したＩＣタグの代わりとして追加ＩＣタグ体３０を用いることができる。この場合に、既に存在する杭収納ＩＣタグ９２や杭収納センサ９４をそのまま収納しながら、杭８０に増設部材１を装着すれば、杭８０のキャップ８６を外して収納空間８８内の部品を交換や補充する必要がない。ただし、収納空間８８内の電源９８のような構成要素に対して配線が必要な場合は、必要に応じて杭８０のキャップ８６を外して接続が行われる。
【００４９】
本実施形態にかかる増設部材１は、例えば、水力発電のための地下水路に多数埋設されている杭８０に適用される。このように作業が困難な環境では、水中の杭８０のキャップ８６を取り外して作業せずに増設部材１を装着するだけで済むため、利便性が高い。また、増設部材１が装着された後は、図２（ａ）に示す本体１０が中実体ではなく筒状体からなるため、地下水路の水は本体１０の内部の空間Ｓを通過し、増設部材１およびこれが取り付けられた杭８０（図１（ａ））は、水圧の影響を受けにくい。さらに、傾斜面を構成する、第２の平板部１２ｂの外面１２ｂｂの傾斜方向を、多数の杭について同一にしておけば、杭８０（図１（ａ））のメンテナンスのために多数の杭を順次点検する際に、点検がしやすい。
【００５０】
この他に、本実施形態にかかる増設部材１は、例えば、高速道路に沿ってその側方に多数設置された杭８０に適用されてもよい。高速道路の走行方向に合わせて、傾斜面を構成する第２の平板部１２ｂ（図２（ａ））を走行車から視認できるように増設部材１を杭８０に装着すれば、作業効率が上がる。
【００５１】
本実施形態において、第１の機能部品として、追加ＩＣタグ体３０の代わりに追加センサ（図示せず）を増設部材１の第２の平板部１２ｂの第１の機能部品取付部１２ｂｂに取り付けてもよい。追加センサは、図１（ａ）の杭収納センサ９４と同一種類であっても異なる種類であってもよい。例えば、杭収納センサ９４が加速度センサであるのに対して、追加センサは温度センサであり、杭８０に発生する加速度に加えて、杭８０における温度の検知機能を増設部材１で追加できるようにしてもよい。
【００５２】
本実施形態において、杭収納センサ９４は省略されてもよい。すなわち、センサを収納しない杭８０に増設部材１を装着することで、杭８０にセンサ機能を付加してもよい。
【００５３】
本実施形態において、増設部材１は、必ずしも杭８０が地盤に埋め込まれた状態で装着されなくともよい。すなわち、増設部材１の釘２０で増設部材を杭８０に固定した後に、地盤に埋め込んでもよい。
【００５４】
次に、本発明の第２実施形態にかかる増設部材について図５（ａ）〜（ｃ）を参照して説明する。本実施形態にかかる増設部材１が第１実施形態にかかる増設部材と異なる点は、固定具が磁石から構成される点である。その他の点については、上述した第１実施形態にかかる増設部材の構成が適用される。同一構成要素には同一符号を付して説明を省略する。
【００５５】
本実施形態にかかる増設部材１の第１の平板部１２ａの外面１２ａａに構成された被装着部１２ａｂには、磁石（吸着用磁石）からなる固定具２０Ａが設けられる。磁石２０Ａは永久磁石からなる。ただし、本実施形態にかかる増設部材１が装着される杭８０（図１（ａ））は、磁石２０Ａが吸着される金属を含む被吸着体である。このように本体１０に磁石２０Ａが固着され、増設部材１はこの磁石２０Ａの吸着のみによって増設部材１に装着されるため、増設部材１に対して容易に着脱される。磁石２０Ａの数は、好ましくは１つであるが、複数であってもよい。
【００５６】
なお、本実施形態では、本体１０に磁石２０Ａが固着されたものとしたが、磁石２０が本体１０と一体成形されてもよい。また、第１実施形態にかかる増設部材１に設けられる釘やねじからなる固定具２０（図２（ｄ））と磁石２０Ａを組み合わせて、磁石２０Ａによる吸着だけでなく、釘、ねじまたは鋲が増設部材１の装着に用いられてもよい。
【００５７】
次に、本発明の第３実施形態にかかる増設部材について図６（ａ）〜（ｃ）を参照して説明する。本実施形態にかかる増設部材が第１および第２実施形態にかかる増設部材と異なる点は、固定具の代わりに、増設部材の被装着部に構成された装着用開口に杭の頭部を押し込めて、増設部材を杭に装着する点である。その他の点については、上述した第１および第２実施形態にかかる増設部材の構成が適用される。同一構成要素には同一符号を付して説明を省略する。なお、図６（ａ）および（ｂ）では、第１の機能部品の図示を省略する。
【００５８】
図６（ａ）に示すように、本実施形態にかかる増設部材１の第１の平板部１２ａの被装着部１２ａｂには、装着用開口１２ａｄが形成される。この装着用開口１２ａｄは、増設部材１の本体１が装着される杭８０の頭部の断面形状（本実施形態では正方形）と同一の形状を有するが、その寸法は、装着される杭８０の頭部８６の断面寸法よりも僅かに小さい。
【００５９】
図６（ｂ）に示すように、増設部材１の杭８０への装着は、増設部材１の装着用開口１２ａｄに杭８０の頭部８６を嵌め込むことで行われる。そして、嵌め込まれた後は、装着用開口１２ａｄが杭８０の頭部８６の断面寸法よりも僅かに小さいため、図６（ｃ）に示すように、増設部材１が杭８０に固定される。
【００６０】
本実施形態によれば、固定具を別途設けずに、装着用開口を形成するだけの簡易な構成でありながら、増設部材１を既存の杭８０に容易に装着することができる。
【００６１】
次に、本発明の第４実施形態にかかる増設部材について図７（ａ）および（ｂ）を参照して説明する。本実施形態にかかる増設部材が第１〜第３実施形態にかかる増設部材と異なる点は、第２の機能部品をさらに備える点である。その他の点については、上述した第１〜第３実施形態にかかる増設部材の構成が適用される。同一構成要素には同一符号を付して説明を省略する。
【００６２】
本実施形態にかかる増設部材１の第３の平板部１２ｃは外面１２ｃａを有し、この外面１２ｃａに第２の機能部品（ここでは、追加センサ３５とする）を取り付けるための第２の機能部品取付部１２ｃｂが構成されている。追加センサ３５は、例えば温度センサである。温度センサ３５の検知情報は、図示しないケーブルを介して、第１の機能部品である追加タグ体３０の追加ＩＣタグ３６（図４（ｂ））に記憶される。
【００６３】
次に、本発明の第５実施形態にかかる増設部材について図８（ａ）および（ｂ）ならびに図９を参照して説明する。本実施形態にかかる増設部材が第１〜第４実施形態にかかる増設部材と異なる点は、増設部材の形状である。その他の点については、上述した第１〜第４実施形態にかかる増設部材の構成が適用される。同一構成要素には同一符号を付して説明を省略する。
【００６４】
図８（ａ）に示すように、本実施形態にかかる増設部材１の本体１０は、第１〜第４実施形態に示した直角三角形の筒形状ではなく、第１の平板部１２ａを底面とする、二等辺三角形の筒形状からなる。この形状により、杭８０に装着されると、図８（ｂ）に示すように第２および第３の平板部１２ｂ，１２ｃの各外面１２ｂａ，１２ｃａによる２つの傾斜面が構成される。このように２つの傾斜面が構成されると、これら傾斜面が互いに反対方向の２つの方向から視認されることができる。そのため、図９に示す平板部１２ｂ，１２ｃの各外面１２ｂａ，１２ｃａにそれぞれデザインＤ１，Ｄ２を施した場合に、本実施形態の構成は特に効果的である。
【００６５】
なお、本実施形態にかかる増設部材１の本体１０の形状は、二等辺三角形の筒形状に限定されず、杭８０に装着した際に第２および第３の平板部１２，１２ｃが傾斜して配置されるのであれば、いかなる三角形からなるものであってもよい。
【００６６】
次に、本発明の第６実施形態にかかる増設部材について図１０（ａ）および（ｂ）を参照して説明する。本実施形態にかかる増設部材が第５実施形態にかかる増設部材と異なる点は、第１および第２の機能部品として、反射シートが設けられている点である。その他の点については、上述した第５実施形態にかかる増設部材の構成が適用される。同一構成要素には同一符号を付して説明を省略する。
【００６７】
本実施形態にかかる増設部材１の二等辺三角形からなる筒形状の本体１０の第２平板部１２ｂの第１の機能部品取付部１２ｂｂおよび第３の平板部１２ｃのおよび第２の機能部品取付部１２ｃｂには、それぞれ、反射シート３０Ａが設けられている。このように２つの傾斜面を構成する外面１２ｂａ，１２ｃａにそれぞれ反射シート３０Ａが設けられているため、増設部材１が杭８０（図８（ａ））に装着されると、光をこれら外面１２ｂａ，１２ｃａに照射した場合の視認性を高めることができる。例えば、道路に設置された杭８０（図８（ａ））に増設部材１が装着されると、走行中の自動車のヘッドライトが傾斜面１２ｂａ（または１２ｃａ）を水平方向前方から照射するため、反射シート３０Ａが照射光を水平方向に反射して、自動車の運転手に杭８０が設置されていることを報知することができる。そして、このように反射シート３０Ａが互いに傾斜の方向が異なる２つの外面１２ｂａ，１２ｃａに設けられているため、異なる２つの方向から杭を視認することができる。
【００６８】
各実施形態では、増設部材１が三角形の筒形状からなる場合について説明したが、断面多角形を有するものであればいかなる筒形状からなるものであってもよい。ただし、三角形の筒形状が好ましい。
【００６９】
また、第１の機能部品および第２の機能部品としては、上述したもの以外のいかなる機能部品であってもよい。例えば、太陽光パネルであってもよく、図８（ａ）に示したように第２および第３の平板部１２ｂ，１２ｃの外面１２ｂａ，１２ｃａが傾斜している場合には、これら両方の外面に太陽光パネルを取り付けて、効率的に発電を行うことができる。このように効率的に生成した電力は、杭８０（図１（ａ））で消費されるだけでなく、杭８０に収納された蓄電池（図示せず）に電力ケーブル（図示せず）を介して接続された別の杭の蓄電池に送信されてもよい。
【００７０】
第１〜第６実施形態にかかる増設部材は、既に設置された杭さえあれば、様々な用途をそのような杭に追加することができる。このような用途の例として、駅もしくはバスターミナルにおける車両の通過の管理、病院、老人ホームもしくは刑務所などの入院者や入所者の管理、保育園、学校もしくは会社における入退出の管理、避難経路の管理、または観光案内などがある。
【００７１】
以上、第１〜第６実施形態にかかる増設部材によれば、筒状の本体の軸方向に垂直な方向から外力を受けた場合に、側壁が空間内に撓むことで衝撃を効果的に吸収することができる一方、筒状の本体の軸方向からの外力を受ける面積が、本体が中実体からなる場合に比べて小さいため、過酷な環境に設置された杭に装着されて用いられることができる。すなわち、例えば、人間や自動車などで踏まれる可能性の高い場所、または、速度の大きい水流や風などを受ける場所に杭が設置されていても、杭の頭部に装着されて地上に位置する増設部材がこれらの影響を受けて破損されるような可能性は極めて低い。
【符号の説明】
【００７２】
１              増設部材
１０            本体
１２            平板部
１２ａ          第１の平板部
１２ａｂ        被装着部
１２ｂ          第２の平板部
１２ｂｂ        第１の機能部品取付部
３０，３０Ａ    第１の機能部品
８０            杭
【図１】
2014059263.tif 000003
【図２】
2014059263.tif 000004
【図３】
2014059263.tif 000005
【図４】
2014059263.tif 000006
【図５】
2014059263.tif 000007
【図６】
2014059263.tif 000008
【図７】
2014059263.tif 000009
【図８】
2014059263.tif 000010
【図９】
2014059263.tif 000011
【図１０】
2014059263.tif 000012